(57)【要約】【課題】煩雑なデータベース構築を不要とし、使いやすい鍼灸治療用情報装置を提供する。【解決手段】鍼灸治療において、被施術者の症状の確認のための診断部位を液晶表示装置２０に表示させ、表示された複数の診断部位に対して被施術者から得られた診断所見を、予め定められた複数の段階のうちいずれかを選択して入力し、複数の段階のそれぞれの段階に対して予め重み付けして守り４０に格納した重み付け値を読み出し、複数の診断部位のそれぞれの診断所見に対して重み付け値を掛けて合計し、合計に基づいて被施術者の状態を、複数の診断基準（免疫系、血管系、神経内分泌系、筋肉系、気系の５つ）として液晶表示装置２０にレーダーチャートの形式で表示させるようにした鍼灸治療用情報装置１。【選択図】図１
2019025244.tif 000002
【特許請求の範囲】
【請求項１】
鍼灸治療において、被施術者の症状の確認のための複数の診断部位を表示装置に表示させる診断部位表示部と、
前記診断部位表示部によって表示された複数の診断部位に対して被施術者から得られた診断所見を、予め定められた複数の段階のうちいずれかを選択して入力する診断所見入力部と、
前記診断部位の前記複数の段階のそれぞれの段階に対して重み付けをした結果を数値として格納する重み付け格納部と、
前記診断所見入力部において入力された前記複数の診断部位のそれぞれの診断所見に対して前記重み付け格納部に格納された重み付けした数値を予め定めた複数の診断基準ごとに合計し、該合計に基づいて被施術者の状態を、複数の診断基準として前記表示装置に表示させる診断結果表示部と、
を備えたことを特徴とする鍼灸治療用情報装置。
【請求項２】
請求項１に記載の鍼灸治療用情報装置において、
前記複数の診断基準は、
免疫系、血管系、神経内分泌系、筋肉系、気系の５つであることを特徴とする鍼灸治療用情報装置。
【請求項３】
請求項１又は請求項２に記載の鍼灸治療用情報装置において、
前記診断結果表示部は、
前記診断所見を、前記複数の診断基準のそれぞれを軸とするレーダーチャートで表示させることを特徴とする鍼灸治療用情報装置。
【発明の詳細な説明】
【技術分野】
【０００１】
本発明は、鍼灸治療に使用し、鍼灸治療の際の問診などの結果から治療箇所や治療方針を決定するために用いる情報装置に関する。
【背景技術】
【０００２】
従来、鍼灸治療においては、問診・脈状診・腹診などの診断結果に基づいて、使用する経穴を決め、決めた経穴に鍼や灸などを用いて刺激を加えるという施術が行われている。ところが診断結果に基づいて施術を行う経穴を決めるためには、専門的な知識と多くの経験を必要とする。そこで、診断結果から導き出される結果から使用する経穴の位置、病状と経穴の関係、過去の臨床事例、参考施術など、経穴判別に関するさまざまなデータを現存しているデータベースと照合し、患者の症状、タイプ、過去の治療内容に沿った経穴の位置、参考施術、過去の臨床事例などの表示をコンピュータに行わせる診断システムがあった（例えば、引用文献１，２参照）。
【先行技術文献】
【特許文献】
【０００３】
【特許文献１】特開２００９−０７２５７９号公報
【特許文献２】特開２００８−１１９４４６号公報
【発明の概要】
【発明が解決しようとする課題】
【０００４】
ところが、上記従来の診断システムでは、経穴の位置、病状と経穴の関係、過去の臨床事例、参考施術など経穴判別に関する多くのデータをデータベース化する必要があり、データベースの構築が煩雑であるという問題があった。
【０００５】
本発明は、こうした問題に鑑みなされたもので、煩雑なデータベース構築を不要とし、使いやすい鍼灸治療用情報装置を提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
［適用例１］
本発明に係る鍼灸治療用情報装置（１）は、
鍼灸治療において、被施術者の症状の確認のための複数の診断部位を表示装置（２０）に表示させる診断部位表示部（１０）と、
前記診断部位表示部（１０）によって表示された複数の診断部位に対して被施術者から得られた診断所見を、予め定められた複数の段階のうちいずれかを選択して入力する診断所見入力部（１０，３０）と、
前記診断部位の前記複数の段階のそれぞれの段階に対して重み付けをした結果を数値として格納する重み付け格納部（４０）と、
前記診断所見入力部（１０，３０）において入力された前記複数の診断部位のそれぞれの診断所見に対して前記重み付け格納部（４０）に格納された重み付けした数値を、予め定めた複数の診断基準ごとに合計し、該合計に基づいて被施術者の状態を、複数の診断結果として前記表示装置（２０）に表示させる診断結果表示部（１０）と、
を備えたことを要旨とする。
【０００８】
このような鍼灸治療用情報装置（１）では、診断部位表示部（１０）により被施術者の症状の確認のための複数の診断部位が表示装置（２０）に表示される。また、施術者は、表示装置（２０）に表示された診断部位に対して被施術者から得られた診断所見、例えば、問診や触診結果などを、予め定められた複数の段階のうちいずれかを選択することによって入力する。
【０００９】
そして、診断所見に対して、重み付け格納部（４０）に格納された診断部位の複数の段階のそれぞれに対して付けられた重み付けした数値を予め定めた複数の診断基準ごとに合計し、その合計に基づいて被施術者の状態を、複数の診断結果として表示装置（２０）に表示させる。
【００１０】
つまり、各診断部位に対して被施術者から得られた問診や触診などの診断所見を段階として選択して入力することにより、被施術者の状態が複数の診断基準として表示装置（２０）に表示される。
【００１１】
したがって、施術者は、診断部位、診断部位に対する診断所見の段階、重み付け値及び診断基準を設定するのみで被施術者の状態を知ることができるため、経穴の位置、病状と経穴の関係、過去の臨床事例、参考施術など経穴判別に関する多くのデータをデータベース化する必要がなく、使いやすい鍼灸治療用情報装置（１）とすることができる。
【００１２】
［適用例２］
適用例１に記載の鍼灸治療用情報装置（１）において、
前記複数の診断基準は、
免疫系、血管系、神経内分泌系、筋肉系、気系の５つであることを要旨とする。
【００１３】
このように、複数の診断基準として、鍼灸治療の方式の分野においてよく用いられる免疫系、血管系、神経内分泌系、筋肉系、気系の５つとすることにより、施術者は、各系における被施術者の状態を客観的な表示として知ることが可能となる。
したがって、施術者は、被施術者の客観的な状態の表示に基づいて施術を行うことができるため、有効な施術を行うことができる。
【００１４】
［適用例３］
ところで、診断結果を表示装置（２０）に表示させる方法は種々考えられるが、
適用例１又は適用例２に記載の鍼灸治療用情報装置（１）において、
前記診断結果表示部（１０）は、
前記診断結果を、前記複数の診断基準のそれぞれを軸とするレーダチャートで表示させることを要旨とするとよい。
【００１５】
このようにすると、診断結果がレーダーチャートで表示されるため、複数の診断基準の状態の分布が分かりやすくなり、より有効な施術が可能となる。
【図面の簡単な説明】
【００１６】
【図１】鍼灸治療用情報統治の概略の構成を示すブロック図である。
【図２】メイン処理の流れを示すフローチャートである。
【図３】診断処理の流れを示すフローチャートである。
【図４】診断部位の画像の例を示す図である。
【図５】診断所見入力画像の例を示す図である。
【図６】診断結果をレーダーチャートで表示する場合の例を示す図である。
【図７】重み付け処理の流れを示すフローチャートである。
【発明を実施するための形態】
【００１７】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１８】
［第１実施形態］
（鍼灸治療用情報装置の構成）
図１は、本発明が適用された鍼灸治療用情報装置１の概略の構成を示すブロック図である。
【００１９】
図１に示すように、鍼灸治療用情報装置１は、制御部１０、液晶表示装置２０、タッチスクリーン３０及びメモリ４０を備えている。
制御部１０は、図示しないＣＰＵ、ＲＯＭ、ＲＡＭ及びＩ／Ｏを備えており、以下の（ア）〜（エ）の処理を実行する。
【００２０】
（ア）鍼灸治療において、被施術者の症状の確認のための複数の診断部位を液晶表示装置２０に表示させる。
（イ）表示された複数の診断部位に対して被施術者から得られた診断所見を、予め定められた複数の段階のうちいずれかを、タッチスクリーン３０を介して選択して入力する。
【００２１】
（ウ）診断部位の複数の段階のそれぞれの段階に対して重み付けをした結果をメモリ４０に格納する。
（エ）入力された複数の診断部位のそれぞれの診断所見に対してメモリ４０に格納された重み付け値を複数の診断基準ごとに合計し、その合計に基づいて被施術者の状態を、レーダーチャートの表示態様で液晶表示装置２０に表示する。複数の診断基準としては、免疫系、血管系、神経内分泌系、筋肉系、気系の５つを用いる。
【００２２】
液晶表示装置２０は、施術者など鍼灸治療用情報装置１を使用する者に対して種々の表示を行うための表示装置である。
タッチスクリーン３０は、液晶表示装置２０の画面表面に装着された入力装置であり、施術者などが、液晶表示装置２０に表示された操作表示に従って、指などの入力部を接触又は近接させることにより種々の入力が可能となっている。
【００２３】
メモリ４０は、タッチスクリーン３０から入力された情報を格納しておく部品であり、メモリ４０の内部構成としては、タッチスクリーン３０から入力される診断部位を格納する診断部位情報格納部４２、各診断部位に対して入力される所見情報を格納する所見情報格納部４４及び各所見に対する重み付けの値を格納する重み付け値格納部４６を備えている。
【００２４】
また、メモリ４０は、本実施形態では、バッテリでバックアップされたＲＡＭであるが、それ以外にＵＳＢメモリなどの半導体メモリやハードディスクドライブなど、外部機構装置であってもよい。
【００２５】
（制御部における処理の説明）
次に、図２〜図７に基づき、制御部１０における処理の内容について説明する。図２は、制御部１０におけるメイン処理の流れを示すフローチャートである。図３は、診断処理の流れを示すフローチャートであり、図４は、診断所見入力画像の一例を示す図であり、図５は、診断所見入力画像の例を示す図であり、図６は、診断結果をレーダーチャートで表示する場合の例を示す図である。また、図７は、重み付け処理の流れを示すフローチャートである。
【００２６】
（メイン処理の説明）
まず、図２に基づき、メイン処理の内容について説明する。
図２に示すように、メイン処理では、ＣＰＵは、Ｓ２００において、液晶表示装置２０に処理選択画面を表示する。この処理選択画面は、鍼灸の診断処理を行うか診断所見に対する重み付けの入力を行うかを選択するための表示画面である。
【００２７】
続くＳ２０５では、タッチスクリーン３０から選択情報を取得する。具体的には、タッチスクリーン３０が押下された場合にタッチスクリーン３０上の座標を取得するものであり、取得した座標とＳ２００における表示内容とを比較し、「診断処置」か「重み付け処理」のいずれかが選択されたかを取得するものである。
【００２８】
続くＳ２１０では、Ｓ２０５においてタッチスクリーン３０から取得した内容が診断処理であるか否かを判定する。そして、診断処理であったと判定した場合（Ｓ２１０：Ｙｅｓ）、処理をＳ２１５へ移行し、診断処理でないと判定した場合（Ｓ２１０：Ｎｏ）、処理をＳ２２０へ移行する。
【００２９】
Ｓ２１５では、診断処理を実行する。診断処理の詳細については後述する。
Ｓ２２０では、Ｓ２０５においてタッチスクリーン３０から取得した内容が重み付け処理であるか否かを判定する。そして、重み付け処理であったと判定した場合（Ｓ２２０：Ｙｅｓ）、処理をＳ２２５へ移行し、重み付け処理でないと判定した場合（Ｓ２２０：Ｎｏ）、処理を終了する。
【００３０】
Ｓ２２５では、重み付け処理を実行した後、処理をＳ２００は戻し、メイン処理を繰り返す。重み付け処理の少佐については、後述する。
（診断処理の説明）
次に、図３に基づき診断処理の内容について説明する。
【００３１】
図３に示すように、診断処理では、ＣＰＵは、先ずＳ３００において、診断部位の画像及び入力完了の表示を液晶表示装置２０に表示させる。診断部位の画像は、施術者などにタッチスクリーン３０で診断部位を選択させるための表示画像であり、「入力完了」の表示は施術者などに入力の完了を入力させるための表示である。
【００３２】
図４に表示の例を示す。図４に示すように、診断部位の画像は、人体の前面に診断対象となる部位を鍼灸治療で使用する用語によって示す画像である。
続くＳ３０５では、タッチスクリーン３０から選択情報を取得する。具体的には、タッチスクリーン３０が押下された場合にタッチスクリーン３０上の座標を取得するものであり、取得した座標とＳ３００における診断部位の位置あるいは「入力完了」の表示の位置（表示領域）とを比較し、どの診断部位又は「入力完了」が選択されたかを取得し、診断部位が取得された場合には、取得した診断部位をメモリ４０の診断部位格納部４２に格納する。
【００３３】
続くＳ３１０では、Ｓ３０５においてタッチスクリーン３０から「入力完了」の選択入力があったか否かを判定する。そして、「入力完了」の選択入力があったと判定した場合（Ｓ３１０：Ｙｅｓ）、処理をＳ３２５へ移行し、「入力完了」の選択入力がなかったと判定した場合（Ｓ３１０：Ｎｏ）、処理をＳ３１５へ移行する。
【００３４】
Ｓ３１５では、診断所見入力画像を液晶表示装置２０に表示させる。診断所見入力画像は、施術者などにタッチスクリーン３０で入力所見を予め定めた段階のうちどの段階に該当するかを選択させて入力させるための表示画像である。
【００３５】
図５に診断所見入力画像の例を示す。図５に示すように、診断所見入力画像は、縦に、Ｓ３００において表示した診断部位、横に、診断部位ごとに、その症状を段階的に表現して表示した画像である。
【００３６】
例えば、診断部位は、「右天枢」、「左天枢」、「右中注」、「左大巨」、「右中注」、「右大巨」、「臀部」、「中院」、「腹直筋」、「真窩部」、「右滑肉門」など、被施術者の身体の部位を鍼灸用語で表示してある。
【００３７】
また、診断部位が右天枢（臍の右側で、親指の幅二本分外側のところにあるツボ）の場合、症状は段階的に、「無反応」、「やや高い」、「痛い」、「凄く痛い」、「圧迫感」、「違和感」、「硬い」、「痛気持ちいい」、「擦診痛」、「軟弱」など１０段階（臀部は、「動悸」を含めて１１段階）に分けそのいずれかをチェックボックスで選択できる表示となっている。
【００３８】
さらに、診断所見は、Ｓ３００において選択した診断部位に対応する診断部位のみが入力可能（選択可能）となっている。具体的には、Ｓ３００において、診断部位として「差天枢」が選択された場合には、図５においてハッチングされている「左天枢」の症状のみが入力可能となっている。また、図５では、「左天枢」の「無反応」が選択された結果、「無反応」のチェックボックスが反転表示（黒丸表示）されている。
【００３９】
Ｓ３２０では、タッチスクリーン３０から選択情報を取得する。具体的には、タッチスクリーン３０が押下された場合にタッチスクリーン３０上の座標を取得するものであり、取得した座標とＳ３１５における所見の段階とを比較し、どの段階の所見が選択されたかを取得し、取得した段階をメモリ４０の所見情報格納部４４に格納した後、処理をＳ３００へ戻す。
【００４０】
Ｓ３２５では、メモリ４０から重み付け値を取得する。具体的には、Ｓ３２０において入力された各診断部位の症状に対応する重み付け値をメモリ４０の重み付け値格納部４６から取得する。重み付け値は、後述する重み付け処理によって診断部位ごとの症状によってあらかじめ入力してメモリ４０の重み付け値格納部４６に格納しておくものである。
【００４１】
続くＳ３３０では、診断結果を算出する。具体的には、Ｓ３２５において取得した重み付け値を「免疫系」、「血管系」、「神経・内分泌系」、「筋肉系」、「気系」の５つの診断基準ごとに加算することによって診断結果を算出する。
【００４２】
例えば、「右天枢」の重み付け値は「免疫系」に加算、「左天枢」の重み付け値は「血管系」に加算、「左中注」の重み付け値は「血管系」に加算、「左大巨」の重み付け値は「血管系」に加算、「右中注」の重み付け値は「血管系」に加算、「右大巨」の重み付け値は「血管系」に加算、「へそ部」の重み付け値は「免疫系」に加算、「中院」の重み付け値は「気系」に加算、「腹直筋」の重み付け値は「神経・内分泌系」に加算、「心窩」の重み付け値は「血管系」に加算、「右滑肉門」の重み付け値は「血管系」に加算というように、各診断部位の重み付け値を各珍談基準に加算していく。
【００４３】
続くＳ３３５では、Ｓ３３０における算出結果を液晶表示装置２０に、「免疫系」、「血管系」、「神経・内分泌系」、「筋肉系」、「気系」の５つの軸のレーダーチャートの形式で表示する。図６に、レーダーチャートで表示する場合の一例を示す。
【００４４】
（重み付け処理の説明）
次に、図７に基づき重み付け処理の内容について説明する。
図７に示すように、重み付け処理では、ＣＰＵは、先ずＳ７００において、診断部位の画像及び入力完了の表示を液晶表示装置２０に表示させる。診断部位の画像は、施術者などにタッチスクリーン３０で診断部位を選択させるための表示画像であり、入力完了の表示は施術者などに入力の完了を入力させるための表示である。ここでの表示画像は、診断処理の場合と同じ図４に示す表示画像となっている。
【００４５】
続くＳ７０５では、タッチスクリーン３０から選択情報を取得する。具体的には、タッチスクリーン３０が押下された場合にタッチスクリーン３０上の座標を取得するものであり、取得した座標とＳ３００における診断部位の位置とを比較し、どの診断部位が選択されたかを取得し、取得した診断部位をメモリ４０の診断部位格納部４２に格納する。
【００４６】
続くＳ７１０では、Ｓ７０５においてタッチスクリーン３０から入力完了の選択入力があったか否かを判定する。そして、入力完了の選択入力があったと判定した場合（Ｓ７１０：Ｙｅｓ）、処理をＳ７３５へ移行し、入力完了の選択入力がなかったと判定した場合（Ｓ７１０：Ｎｏ）、処理をＳ７１５へ移行する。
【００４７】
Ｓ７１５では、診断所見入力画像を液晶表示装置２０に表示させる。診断所見入力画像は、施術者などにタッチスクリーン３０で入力所見を予め定めた段階のうちどの段階に該当するかを選択させて入力させるための表示画像である。ここでの表示画像は、診断処理の場合と同じ図５に示す表示画像となっている。
【００４８】
Ｓ７２０では、タッチスクリーン３０から選択情報を取得する。具体的には、タッチスクリーン３０が押下された場合にタッチスクリーン３０上の座標を取得するものであり、取得した座標とＳ７１５における所見の段階とを比較し、どの段階の症状が選択されたかを取得する。
【００４９】
続くＳ７２５では、Ｓ７２０において選択した診断の段階についての重み付け値を入力するための重み付け入力画面を液晶表示装置２０に表示する。具体的には、診断の段階と、テンキーなどの数値入力画面を液晶表示装置２０に表示する。
【００５０】
続くＳ７３０では、Ｓ７２５において表示した数値入力画面に対して入力される数値を重み付け値として入力する。具体的には、タッチスクリーン３０リターンキーが押下された場合に確定した重み付け値として入力した後、処理をＳ７００へ戻す。
【００５１】
Ｓ７３５では、Ｓ７００〜Ｓ７３０の処理によって取得した各診断部位に対する重み付け値をメモリ４０の重み付け値格納部４６に格納し、処理を終了する。
（鍼灸治療用情報装置１の特徴）
以上のような鍼灸治療用情報装置１では、被施術者の症状の確認のための診断部位が液晶表示装置２０に表示される。また、施術者は、液晶表示装置２０に表示された診断部位に対して被施術者から得られた、問診や触診などのよる診断所見結果などを、予め定められた複数の段階のうちいずれかを選択することによって入力する。
【００５２】
そして、診断所見に対して、診断部位の複数の段階のそれぞれに対して付けられた重み付けを掛けて合計し、その合計に基づいて被施術者の状態を、「免疫系」、「血管系」、「神経・内分分泌系」、「筋肉系」、「気系」など複数の診断基準として液晶表示装置２０に表示させる。
【００５３】
したがって、施術者は、診断部位、診断部位に対する症状の段階、重み付け及び診断基準を予め設定するのみで被施術者の状態を知ることができる。したがって、経穴の位置、病状と経穴の関係、過去の臨床事例、参考施術など経穴判別に関する多くのデータをデータベース化する必要がなく、使いやすい鍼灸治療用情報装置１とすることができる。
【００５４】
また、複数の診断基準として、鍼灸治療の方式の分野においてよく用いられる免疫系、血管系、神経内分泌系、筋肉系、気系の５つとすることにより、施術者は、各系における被施術者の状態を客観的な表示として知ることが可能となる。
【００５５】
したがって、施術者は、被施術者の客観的な状態の表示に基づいて施術を行うことができるため、有効な施術を行うことができる。
さらに、診断所見をレーダーチャートの形式で表示しているため、複数の診断基準の状態の分布が分かりやすくなり、より有効な施術が可能となる。
【００５６】
［その他の実施形態］
以上、本発明の実施形態について説明したが、本発明は、本実施形態に限定されるものではなく、種々の態様を採ることができる。
（１）上記実施形態では、診断結果をレーダーチャートで液晶表示装置に表示したが、他の表示態様、例えば、棒グラフや円グラフなどの他のグラフ表示や数値による表示であってもよい。
【００５７】
（２）上記実施形態では、診断部位の例として、「右天枢」、「左天枢」、「右中注」、「左大巨」、「右中注」、「右大巨」、「臀部」、「中院」、「腹直筋」、「真窩部」、「右滑肉門」としたが、診断部位は、これらに限られず、鍼灸の施術に用いられる他の部位であってもよい。
【００５８】
（３）上記実施形態では、診断部位の選択、症状の選択あるいは重み付け値の入力をタッチスクリーン３０により行っていたが、キーボードなどによって選択や入力を行うようにしてもよい。
【００５９】
（４）上記実施形態では、重み付け値を同じＣＰＵにおける処理として行っていたが、予め他のコンピュータや端末により入力しておき、それをメモリ４０の重み付け値格納部４６に格納しておくようにしてもよい。
（５）液晶表示装置２０、タッチスクリーン３０、制御部１０及びメモリ４０を備えた装置として、スマートフォンやタブレット端末を用いてもよい。
【符号の説明】
【００６０】
１… 鍼灸治療用情報装置  １０… 制御部  ２０… 液晶表示装置  ３０… タッチスクリーン  ４０… メモリ  ４２… 診断部位格納部  ４４… 所見情報格納部  ４６… 重み付け値格納部
【図１】
2019025244.tif 000003
【図２】
2019025244.tif 000004
【図３】
2019025244.tif 000005
【図４】
2019025244.tif 000006
【図５】
2019025244.tif 000007
【図６】
2019025244.tif 000008
【図７】
2019025244.tif 000009